【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
ユーザからの操作を受け付けるための操作部を備え、一定時間継続して前記操作部に対する操作が行われなかった場合に、撮像装置の少なくとも一部の構成への電力供給を停止する省電力状態に移行することが可能な撮像装置であって、
外部装置と通信するための通信手段と、
少なくとも撮像モードと再生モードとを含む複数の動作モードのいずれかを選択する選択手段と、
前記選択手段により選択された動作モードと、前記通信手段による前記外部装置との通信状態とに応じて、前記省電力状態への移行を制御する制御手段と
を有することを特徴とする撮像装置。
【請求項２】
前記制御手段は、前記選択手段により前記撮像モードが選択され、且つ、前記通信手段により前記外部装置と通信中である場合を除いて、前記省電力状態への移行を制御することを特徴とする請求項１に記載の撮像装置。
【請求項３】
前記通信手段による前記外部装置との通信が切断された場合に、一定時間継続して前記操作部に対する操作が行われていなければ、前記制御手段は、前記撮像装置を前記省電力状態へ移行させることを特徴とする請求項１に記載の撮像装置。
【請求項４】
ユーザからの操作を受け付けるための操作部を備え、一定時間継続して前記操作部に対する操作が行われなかった場合に、撮像装置の少なくとも一部の構成への電力供給を停止する省電力状態に移行することが可能な撮像装置であって、
外部装置と通信するための通信手段と、
少なくとも撮像モードと再生モードとを含む複数の動作モードのいずれかを選択する選択手段と、
前記通信手段により前記外部装置と通信中に、通信経路の状態を判断する判断手段と、
前記選択手段により選択された動作モードと、前記通信手段による前記外部装置との通信状態と、前記判断手段により判断された前記通信経路の状態とに応じて、前記省電力状態への移行を制御する制御手段と
を有することを特徴とする撮像装置。
【請求項５】
ユーザからの操作を受け付けるための操作部を備え、一定時間継続して前記操作部に対する操作が行われなかった場合に、撮像装置の少なくとも一部の構成への電力供給を停止する省電力状態に移行することが可能な撮像装置であって、
外部装置と通信するための通信手段と、
前記通信手段により前記外部装置と通信中に、通信経路の状態を判断する判断手段と、
前記判断手段による判断の結果、前記通信経路の状態が予め設定された状態よりも悪い場合に、良い場合よりも前記一定時間を長くする延長手段と
を有することを特徴とする撮像装置。
【請求項６】
ユーザからの操作を受け付けるための操作部を備え、一定時間継続して前記操作部に対する操作が行われなかった場合に、撮像装置の少なくとも一部の構成への電力供給を停止する省電力状態に移行することが可能な撮像装置であって、
外部装置と通信するための通信手段と、
少なくとも撮像モードと再生モードとを含む複数の動作モードのいずれかを選択する選択手段と、
撮像した画像データを記録媒体に記録する記録手段と、
前記記録媒体が使用可能か否かを判断する判断手段と、
前記選択手段により選択された動作モードと、前記通信手段による前記外部装置との通信状態と、前記判断手段による判断の結果とに応じて、前記省電力状態への移行を制御する制御手段と
を有することを特徴とする撮像装置。
【請求項７】
前記通信手段は、無線通信を行う手段であることを特徴とする請求項１乃至６のいずれか１項に記載の撮像装置。
【請求項８】
外部装置と通信するための通信手段と、ユーザからの操作を受け付けるための操作部とを有し、一定所定以上継続して前記操作部に対する操作が行われなかった場合に、撮像装置の少なくとも一部の構成への電力供給を停止する省電力状態に移行することが可能な撮像装置の制御方法であって、
少なくとも撮像モードと再生モードとを含む複数の動作モードのいずれかを選択する選択ステップと、
前記選択ステップで選択された動作モードと、前記通信手段による前記外部装置との通信状態とに応じて、前記省電力状態への移行を制御する制御ステップと
を有することを特徴とする撮像装置の制御方法。
【請求項９】
前記制御ステップでは、前記選択ステップにおいて前記撮像モードが選択され、且つ、前記通信手段により前記外部装置と通信中である場合を除いて、前記省電力状態への移行を制御することを特徴とする請求項８に記載の撮像装置の制御方法。
【請求項１０】
前記通信手段による前記外部装置との通信が切断された場合に、一定時間継続して前記操作部に対する操作が行われていなければ、前記制御ステップにおいて、前記撮像装置を前記省電力状態へ移行させることを特徴とする請求項８に記載の撮像装置の制御方法。
【請求項１１】
外部装置と通信するための通信手段と、ユーザからの操作を受け付けるための操作部とを有し、一定時間継続して前記操作部に対する操作が行われなかった場合に、撮像装置の少なくとも一部の構成への電力供給を停止する省電力状態に移行することが可能な撮像装置の制御方法であって、
少なくとも撮像モードと再生モードとを含む複数の動作モードのいずれかを選択する選択ステップと、
前記通信手段による前記外部装置と通信中に、通信経路の状態を判断する判断ステップと、
前記選択ステップで選択された動作モードと、前記通信手段による前記外部装置との通信状態と、前記判断ステップで判断された前記通信経路の状態とに応じて、前記省電力状態への移行を制御する制御ステップと
を有することを特徴とする撮像装置の制御方法。
【請求項１２】
外部装置と通信するための通信手段と、ユーザからの操作を受け付けるための操作部とを有し、一定時間継続して前記操作部に対する操作が行われなかった場合に、撮像装置の少なくとも一部の構成への電力供給を停止する省電力状態に移行することが可能な撮像装置の制御方法であって、
前記通信手段により前記外部装置と通信中に、通信経路の状態を判断する判断ステップと、
前記判断ステップにおける判断の結果、前記通信経路の状態が予め設定された状態よりも悪い場合に、良い場合よりも前記一定時間を長くする延長ステップと
を有することを特徴とする撮像装置の制御方法。
【請求項１３】
外部装置と通信するための通信手段と、撮像した画像データを記録媒体に記録する記録手段と、ユーザからの操作を受け付けるための操作部とを有し、一定時間継続して前記操作部に対する操作が行われなかった場合に、撮像装置の少なくとも一部の構成への電力供給を停止する省電力状態に移行することが可能な撮像装置の制御方法であって、
少なくとも撮像モードと再生モードとを含む複数の動作モードのいずれかを選択する選択ステップと、
前記記録媒体が使用可能か否かを判断する判断ステップと、
前記選択ステップにおいて選択された動作モードと、前記通信手段による前記外部装置との通信状態と、前記判断ステップにおける判断の結果に応じて、前記省電力状態への移行を制御する制御ステップと
を有することを特徴とする撮像装置の制御方法。
【請求項１４】
前記通信手段は、無線通信を行う手段であることを特徴とする請求項８乃至１３のいずれか１項に記載の撮像装置の制御方法。
【請求項１５】
コンピュータに、請求項８乃至１４のいずれか１項に記載の制御方法の各ステップを実行させるためのプログラム。
【請求項１６】
請求項１５に記載のプログラムを格納したことを特徴とするコンピュータが読み取り可能な記憶媒体。
【手続補正２】
【補正対象書類名】明細書
【補正対象項目名】００１３
【補正方法】変更
【補正の内容】
【００１３】
上記目的を達成するために、ユーザからの操作を受け付けるための操作部を備え、一定時間継続して前記操作部に対する操作が行われなかった場合に、撮像装置の少なくとも一部の構成への電力供給を停止する省電力状態に移行することが可能な本発明の撮像装置は、外部装置と通信するための通信手段と、少なくとも撮像モードと再生モードとを含む複数の動作モードのいずれかを選択する選択手段と、前記選択手段により選択された動作モードと、前記通信手段による前記外部装置との通信状態とに応じて、前記省電力状態への移行を制御する制御手段と
を有する。
【手続補正３】
【補正対象書類名】明細書
【補正対象項目名】００１４
【補正方法】変更
【補正の内容】
【００１４】
また、外部装置と通信するための通信手段と、ユーザからの操作を受け付けるための操作部とを有し、一定所定以上継続して前記操作部に対する操作が行われなかった場合に、撮像装置の少なくとも一部の構成への電力供給を停止する省電力状態に移行することが可能な撮像装置の本発明の制御方法は、少なくとも撮像モードと再生モードとを含む複数の動作モードのいずれかを選択する選択ステップと、前記選択ステップで選択された動作モードと、前記通信手段による前記外部装置との通信状態とに応じて、前記省電力状態への移行を制御する制御ステップとを有する。
【手続補正４】
【補正対象書類名】明細書
【補正対象項目名】００１５
【補正方法】変更
【補正の内容】
【００１５】
また、別の構成によれば、ユーザからの操作を受け付けるための操作部を備え、一定時間継続して前記操作部に対する操作が行われなかった場合に、撮像装置の少なくとも一部の構成への電力供給を停止する省電力状態に移行することが可能な本発明の撮像装置は、外部装置と通信するための通信手段と、少なくとも撮像モードと再生モードとを含む複数の動作モードのいずれかを選択する選択手段と、前記通信手段により前記外部装置と通信中に、通信経路の状態を判断する判断手段と、前記選択手段により選択された動作モードと、前記通信手段による前記外部装置との通信状態と、前記判断手段により判断された前記通信経路の状態とに応じて、前記省電力状態への移行を制御する制御手段とを有する。
【手続補正５】
【補正対象書類名】明細書
【補正対象項目名】００１６
【補正方法】変更
【補正の内容】
【００１６】
また、外部装置と通信するための通信手段と、ユーザからの操作を受け付けるための操作部とを有し、一定時間継続して前記操作部に対する操作が行われなかった場合に、撮像装置の少なくとも一部の構成への電力供給を停止する省電力状態に移行することが可能な撮像装置の本発明の制御方法は、少なくとも撮像モードと再生モードとを含む複数の動作モードのいずれかを選択する選択ステップと、前記通信手段による前記外部装置と通信中に、通信経路の状態を判断する判断ステップと、前記選択ステップで選択された動作モードと、前記通信手段による前記外部装置との通信状態と、前記判断ステップで判断された前記通信経路の状態とに応じて、前記省電力状態への移行を制御する制御ステップとを有する。
【手続補正６】
【補正対象書類名】明細書
【補正対象項目名】００１７
【補正方法】変更
【補正の内容】
【００１７】
更に別の構成によれば、ユーザからの操作を受け付けるための操作部を備え、一定時間継続して前記操作部に対する操作が行われなかった場合に、撮像装置の少なくとも一部の構成への電力供給を停止する省電力状態に移行することが可能な本発明の撮像装置は、外部装置と通信するための通信手段と、前記通信手段により前記外部装置と通信中に、通信経路の状態を判断する判断手段と、前記判断手段による判断の結果、前記通信経路の状態が予め設定された状態よりも悪い場合に、良い場合よりも前記一定時間を長くする延長手段とを有する。
【手続補正７】
【補正対象書類名】明細書
【補正対象項目名】００１８
【補正方法】変更
【補正の内容】
【００１８】
また、外部装置と通信するための通信手段と、ユーザからの操作を受け付けるための操作部とを有し、一定時間継続して前記操作部に対する操作が行われなかった場合に、撮像装置の少なくとも一部の構成への電力供給を停止する省電力状態に移行することが可能な撮像装置の本発明の制御方法は、前記通信手段により前記外部装置と通信中に、通信経路の状態を判断する判断ステップと、前記判断ステップにおける判断の結果、前記通信経路の状態が予め設定された状態よりも悪い場合に、良い場合よりも前記一定時間を長くする延長ステップとを有する。
【手続補正８】
【補正対象書類名】明細書
【補正対象項目名】００１９
【補正方法】変更
【補正の内容】
【００１９】
更に別の構成によれば、ユーザからの操作を受け付けるための操作部を備え、一定時間継続して前記操作部に対する操作が行われなかった場合に、撮像装置の少なくとも一部の構成への電力供給を停止する省電力状態に移行することが可能な本発明の撮像装置は、外部装置と通信するための通信手段と、少なくとも撮像モードと再生モードとを含む複数の動作モードのいずれかを選択する選択手段と、撮像した画像データを記録媒体に記録する記録手段と、前記記録媒体が使用可能か否かを判断する判断手段と、前記選択手段により選択された動作モードと、前記通信手段による前記外部装置との通信状態と、前記判断手段による判断の結果とに応じて、前記省電力状態への移行を制御する制御手段とを有する。
【手続補正９】
【補正対象書類名】明細書
【補正対象項目名】００２０
【補正方法】変更
【補正の内容】
【００２０】
また、外部装置と通信するための通信手段と、撮像した画像データを記録媒体に記録する記録手段と、ユーザからの操作を受け付けるための操作部とを有し、一定時間継続して前記操作部に対する操作が行われなかった場合に、撮像装置の少なくとも一部の構成への電力供給を停止する省電力状態に移行することが可能な撮像装置の本発明の制御方法は、少なくとも撮像モードと再生モードとを含む複数の動作モードのいずれかを選択する選択ステップと、前記記録媒体が使用可能か否かを判断する判断ステップと、前記選択ステップにおいて選択された動作モードと、前記通信手段による前記外部装置との通信状態と、前記判断ステップにおける判断の結果に応じて、前記省電力状態への移行を制御する制御ステップとを有する。
【手続補正１０】
【補正対象書類名】明細書
【補正対象項目名】００９４
【補正方法】変更
【補正の内容】
【００９４】
通信開始処理を実行した結果、システム制御回路５０は、撮像装置１００と画像処理装置３００との間で通信が確立したかどうかを判断する（ステップＳ１１７）。確立しなかったならば、システム制御回路５０は、通知部５４及び或いは画像表示部２８を用いて画像や音声により所定の警告を行い（ステップＳ１２０）、図５のステップＳ１３１に進む。
【手続補正１１】
【補正対象書類名】明細書
【補正対象項目名】００９８
【補正方法】変更
【補正の内容】
【００９８】
ステップＳ１３４で、システム制御回路５０は、モードダイアル６０、シャッタースイッチ６２、６４、単写／連写スイッチ６６、及び或いは、操作部７０に含まれる各種操作ボタンやスイッチ類への操作入力を確認する。操作入力が無かったならば（ステップＳ１３４でＮＯ）、図４のステップＳ１０２に戻る。
【手続補正１２】
【補正対象書類名】明細書
【補正対象項目名】０１００
【補正方法】変更
【補正の内容】
【０１００】
ステップＳ１３７では、通信フラグの状態を確認し、ＯＦＦであれば図４６のステップＳ１０２に戻り、ＯＮであれば、ステップＳ１３８に進む。ステップＳ１３８において、再生画像を送信するか判断し、送信する場合にはステップＳ１３９で再生画像の送信を開始してから、送信しない場合には直接、図４のステップＳ１０２に戻る。
【手続補正１３】
【補正対象書類名】明細書
【補正対象項目名】０１０１
【補正方法】変更
【補正の内容】
【０１０１】
一方、ＲＥＣ／ＰＢスイッチがＲＥＣ状態に設定され、ステップＳ１３２でＲＥＣモードフラグをＯＮした場合、図６のステップＳ１５１に進む。そして、システム制御回路５０は、シャッタースイッチＳＷ１の状態を確認し、シャッタースイッチＳＷ１が押されていなければ、ステップＳ１０２に戻る。シャッタースイッチＳＷ１が押されたならば（ステップＳ１５１でＹＥＳ）、システム制御回路５０は、オートパワーオフ時間Ｍをリセットしてシステム制御回路５０の内部メモリ或いはメモリ５２に記憶し（ステップＳ１５３）、ステップＳ１５４に進む。
【手続補正１４】
【補正対象書類名】明細書
【補正対象項目名】０１１０
【補正方法】変更
【補正の内容】
【０１１０】
ステップＳ１６８では、システム制御回路５０は、シャッタースイッチＳＷ１の状態を確認する。押されていたならば、システム制御回路５０は、オートパワーオフ時間Ｍをリセットしてシステム制御回路５０の内部メモリ或いはメモリ５２に記憶し（ステップＳ１６９）、ステップＳ１５７に戻る。押されていないならば、図４のステップＳ１０２に戻る。
【手続補正１５】
【補正対象書類名】明細書
【補正対象項目名】０１２５
【補正方法】変更
【補正の内容】
【０１２５】
一方、オートパワーオフモードフラグがＯＮであれば、システム制御回路５０の内部メモリ或いはメモリ５２に記憶しているオートパワーオフ時間Ｍリセット後の経過時間を、システム制御回路５０内部或いは外部のタイマーから取得する（ステップＳ４０１）。そして、取得したオートパワーオフ時間Mリセット後の経過時間からオートパワーオフ動作を実行すべき時間に到達しているか否かを判断する（ステップＳ４０２）。
【手続補正１６】
【補正対象書類名】明細書
【補正対象項目名】０１５８
【補正方法】変更
【補正の内容】
【０１５８】
ステップＳ４３２では、システム制御回路５０は、撮像装置１００と画像処理装置３００との間で通信を行う際の撮像装置１００の電波状態（電界強度状態）を判断する。電波状態が所定の電界強度より悪かったならば、ステップＳ４３４に進んで、オートパワーオフ時間Ｍリセット後からの経過時間を比較する時間を所定時間延長して、ステップＳ４３６に進む。
【手続補正１７】
【補正対象書類名】明細書
【補正対象項目名】０１５９
【補正方法】変更
【補正の内容】
【０１５９】
また、電波状態が所定の電界強度より良かったならば（ステップＳ４３２でＹＥＳ）、ステップＳ４３５に進んで、オートパワーオフ時間Ｍリセット後からの経過時間を比較する時間を所定時間に戻して、ステップＳ４３６に進む。
【手続補正１８】
【補正対象書類名】明細書
【補正対象項目名】０１６８
【補正方法】変更
【補正の内容】
【０１６８】
＜撮像装置５００の構成説明＞
図１５は、本第５の実施形態における撮像装置５００の構成を示すブロック図である。図１５に示すように、第１の実施形態で説明した図２の構成に加えて、記録媒体２００へのＩ／Ｆが備えられている。
【手続補正１９】
【補正対象書類名】明細書
【補正対象項目名】０１７２
【補正方法】削除
【補正の内容】
【手続補正２０】
【補正対象書類名】明細書
【補正対象項目名】０１７４
【補正方法】変更
【補正の内容】
【０１７４】
上記以外の構成は、図２と同様であるので同じ参照番号を付し、説明を省略する。
【手続補正２１】
【補正対象書類名】明細書
【補正対象項目名】０１８２
【補正方法】変更
【補正の内容】
【０１８２】
一方、オートパワーオフモードフラグがＯＮであれば、ステップＳ１１０９に進む。ステップＳ１１０９では、システム制御回路５０は、システム制御回路５０の内部メモリ或いはメモリ５２に記憶したオートパワーオフ時間Ｍリセット後の経過時間を取得し、オートパワーオフ動作を実行すべきか否かを判定する。なお、ステップＳ１１０９で行われるオートパワーオフ実行判定処理の詳細は図２２を用いて後述する。
【手続補正２２】
【補正対象書類名】明細書
【補正対象項目名】０１８７
【補正方法】変更
【補正の内容】
【０１８７】
接続先の登録処理（ステップＳ１１２２）においては、撮像装置５００が画像処理装置３００等の無線機能を備える機器と無線接続するために必要な接続相手の無線パラメータを事前に取得する。そして、取得した無線パラメータを撮像装置５００内部のシステム制御回路５０の内部メモリ及び或いはメモリ５２及び或いは不揮発性メモリ５６に記憶する。無線パラメータの取得に際しては、記録媒体２００を介して情報のやりとりをすることが可能である。また、ＵＳＢ等の有線インターフェースにより、撮像装置５００と画像処理装置３００をケーブルを用いて接続し、無線パラメータの取得のやりとりを行うことも可能である。記憶した無線パラメータは、撮像装置５００が、画像処理装置３００等の無線機能を備える機器と無線接続を行う場合に使用する。接続先の登録処理を終えたならば、ステップＳ１１０４に戻る。
【手続補正２３】
【補正対象書類名】明細書
【補正対象項目名】０１８９
【補正方法】変更
【補正の内容】
【０１８９】
一方、ステップＳ１１２９において、システム制御回路５０は、モードダイアルスイッチ６０の設定状態を判断する。動画撮影モードに設定されていたならば、システム制御回路５０は、通知部５４及び或いは画像表示部２８を用いて画像や音声により所定の警告を行い（ステップＳ１１３０）、ステップＳ１１０４に戻る。この処理は、以下の理由による。即ち、通信回路１１０、アンテナ１１２、アンテナ３３２、通信回路３３０を介して撮像装置５００から画像処理装置３００に撮影中の動画を無線伝送するには伝送レートが不足することがある。従って、動画撮影モードで無線接続を行おうとした時に所定の警告を行う。このように制御することにより、動画転送できないにも関わらず撮像装置５００の使用者が誤って動画モードで無線接続を行い、動画撮影を行うことを防止することができる。これにより、フレーム落ちしたり、途中で打ち切られたり、或いは一時停止したりする不完全な動画データの転送を行うことを防止することができる。
【手続補正２４】
【補正対象書類名】明細書
【補正対象項目名】０２０２
【補正方法】変更
【補正の内容】
【０２０２】
ステップＳ１２０１において、システム制御回路５０は、通信回路１１０、アンテナ１１２、アンテナ３３２、通信回路３３０を介して、画像処理装置３００との間の通信状態を確認する。電波の状態が悪くなったり、操作部７０に含まれる通信終了ボタンの押下などの理由により確立していた接続が切断され、画像処理装置３００との無線接続がされていなかったならば、ステップＳ１２０２に進む。そして、システム制御回路５０は、通知部５４及び／或いは画像表示部２８を用いて画像や音声により所定の警告を行ってから、図１９のステップＳ１２３５へ進む。
【手続補正２５】
【補正対象書類名】明細書
【補正対象項目名】０２０３
【補正方法】変更
【補正の内容】
【０２０３】
画像処理装置３００との無線接続がされていればステップＳ１２０３に進み、シャッタースイッチＳＷ１の状態を確認する。シャッタースイッチＳＷ１が押されていなければ、図１９のステップＳ１２３５へ進む。
【手続補正２６】
【補正対象書類名】明細書
【補正対象項目名】０２０７
【補正方法】変更
【補正の内容】
【０２０７】
システム制御回路５０は、シャッタースイッチＳＷ２が押されずに（ステップＳ１２１１でＯＦＦ）、更にシャッタースイッチＳＷ１も解除されたならば（ステップＳ１２１２でＯＦＦ）、図１９のステップＳ１２３５へ進む。シャッタースイッチＳＷ１が押されたままであったならば（ステップＳ１２１２でＯＮ）、オートパワーオフ時間Ｍをリセットしてシステム制御回路５０の内部メモリ或いはメモリ５２に記憶し（ステップＳ１２１３）、再びステップＳ１２１１に戻る。
【手続補正２７】
【補正対象書類名】明細書
【補正対象項目名】０２２４
【補正方法】変更
【補正の内容】
【０２２４】
ステップＳ１７４において、システム制御回路５０は、記録媒体２００及び／或いは、メモリ３０に確保したバッファ領域から画像処理装置３００に向けて転送すべき画像データ等のファイルの転送を行う。このとき、記録媒体２００からであれば、コネクタ９２、インターフェース９０、通信回路１１０、アンテナ１１２を介して、また、メモリ３０のバッファ領域からであれば通信回路１１０、アンテナ１１２を介して、ファイルの転送を開始する。そして、PCダイレクト転送処理ルーチン（ステップＳ１１４０）を抜けて、ステップＳ１１４２に戻る。
【手続補正２８】
【補正対象書類名】明細書
【補正対象項目名】０２４７
【補正方法】変更
【補正の内容】
【０２４７】
ステップＳ２００８においては、画像処理装置３００が撮像装置５００等の無線機能を備える機器と無線接続するために必要な接続相手の無線パラメータを事前に取得する。そして、画像処置装置３００内部のシステム制御回路３５０の内部メモリ及び或いはメモリ３５２及び或いは不揮発性メモリ３５４に記憶する。無線パラメータの取得に際しては、記録媒体２００を介して情報のやりとりをすることが可能である。また、不図示のＵＳＢ等の有線インターフェースにより、画像処理装置３００と撮像装置５００をケーブルを用いて接続し、無線パラメータの取得のやりとりを行うことも可能である。記憶した無線パラメータは、画像処理装置３００が撮像装置５００等の無線機能を備える機器と無線接続を行う場合に使用する。
【手続補正２９】
【補正対象書類名】明細書
【補正対象項目名】０２６０
【補正方法】変更
【補正の内容】
【０２６０】
受信する画像があるならば（ステップＳ２１０３でＹＥＳ）、システム制御回路３５０は、通信回路１１０、アンテナ１１２、アンテナ３３２、通信回路３３０を介して、撮像装置５００から画像を受信してメモリ３２０に保存する（ステップＳ２１０４）。撮像装置５００からの画像受信が終了したならば（ステップＳ２１０５でＹＥＳ）、ステップＳ２１０６に進む。そして、システム制御回路３５０は、メモリ３２０に記憶した撮像装置５００から受信した画像を、インターフェース３９０、コネクタ３９２を介して、記録媒体２００に記録し、記録を終えたならば、撮影同時受信処理ルーチン（ステップＳ２０１５）を終了する。
【手続補正３０】
【補正対象書類名】明細書
【補正対象項目名】０２６４
【補正方法】変更
【補正の内容】
【０２６４】
受信する画像データ等のファイルがあるならば（ステップＳ２２０３でＹＥＳ）、ステップＳ２２０４に進む。ステップＳ２２０４において、システム制御回路３５０は、通信回路１１０、アンテナ１１２、アンテナ３３２、通信回路３３０を介して、撮像装置５００から画像データ等のファイルを受信してメモリ３２０に保存する。撮像装置５００からの画像データ等のファイル受信が終了したならば（ステップＳ２２０５でＹＥＳ）、ステップＳ２２０６に進む。ステップＳ２２０６において、システム制御回路３５０は、メモリ３２０に記憶した撮像装置５００から受信した画像データ等のファイルを、インターフェース３９０、コネクタ３９２を介して、記録媒体２００に記録する。記録を終えたならば、PCダイレクト受信処理ルーチン（ステップＳ２０１８）を終了する。
【手続補正３１】
【補正対象書類名】明細書
【補正対象項目名】０２７０
【補正方法】変更
【補正の内容】
【０２７０】
受信する画像があるならば（ステップＳ２３０５でＹＥＳ）、システム制御回路３５０は、通信回路１１０、アンテナ１１２、アンテナ３３２、通信回路３３０を介して、撮像装置５００から画像を受信してメモリ３２０に保存する（ステップＳ２３０６）。撮像装置５００からの画像受信が終了したならば（ステップＳ２３０７でＹＥＳ）、システム制御回路３５０は、メモリ３２０に記憶した撮像装置５００から受信した画像を、画像表示部３２４に表示する（ステップＳ２３０８）。
【手続補正３２】
【補正対象書類名】図面
【補正対象項目名】図１１
【補正方法】変更
【補正の内容】
【図１１】
2007081737.tif 000001
【手続補正３３】
【補正対象書類名】図面
【補正対象項目名】図１９
【補正方法】変更
【補正の内容】
【図１９】
2007081737.tif 000002
【手続補正３４】
【補正対象書類名】図面
【補正対象項目名】図２０
【補正方法】変更
【補正の内容】
【図２０】
2007081737.tif 000003
【手続補正３５】
【補正対象書類名】図面
【補正対象項目名】図２３
【補正方法】変更
【補正の内容】
【図２３】
2007081737.tif 000004